(57)【要約】【課題】確実に防塵を行い、かつ、作業時間を短縮して迅速に組立てを行う。【解決手段】振動板３１の裏面にガスケット部材３３を接着し、ガスケット部材３３の振動板３１に対向する側に、アクチュエータモジュール３２を挿通させるための挿通口が形成されたセパレータを貼り付け、一対の保護シートで両側から挟んで、ガスケット付き振動板を作製する。次に、ガスケット付き振動板の裏面側の保護シートを剥離させ、アクチュエータモジュール３２を、振動板３１に接着する。次に、ガスケット付き振動板の裏面側のセパレータを剥離させ、振動板３１を、フロントケース１２に対して位置決めして、ガスケット部材３３をフロントケース１２の載置面１７ｍに接着して、振動板３１をフロントケース１２に取り付ける。挿入口から侵入した塵埃は、ガスケット部材３３の仕切り部３３ｂによって液晶表示パネル４１に対応する領域への侵入が阻止される。【選択図】図１
2006186590.tif 000002
【特許請求の範囲】
【請求項１】
アクチュエータによって振動板を振動させて音波を放射させるフラットパネルスピーカを、開口が形成された電子機器の筐体に、前記開口から前記筐体内への塵埃を含む異物の侵入を防止するガスケット部材を介して、実装するためのフラットパネルスピーカの実装方法であって、
前記振動板の裏面に前記ガスケット部材が接着され、前記ガスケット部材の前記振動板が配置された側に対向する側に、前記アチュエータを挿通させるための挿通口が所定の部位に形成されたセパレータが、剥離可能なように貼り付けられたガスケット付き振動板を用意し、前記アクチュエータを、前記挿通口から挿入して、前記振動板の裏面の所定の部位に接着する第１の工程と、
前記ガスケット付き振動板の前記セパレータを剥離させ、前記ガスケット部材を前記開口の縁部に接着して、前記振動板を、前記ガスケット部材を介して、前記開口を覆うように、前記筐体に取り付ける第２の工程とを含み、
前記第１の工程では、前記振動板を支持するための枠状部と、該枠状部の互いに対向する所定の部位間に架け渡され、該枠状部によって囲まれた領域を、第１の領域と、前記アクチュエータを挿通させる第２の領域とに仕切る仕切り部とを有してなる前記ガスケット部材を用い、前記セパレータは、前記挿通口が前記第２の領域の前記振動板が配置された側に対向する側に配置されるように貼り付けられ、
前記第１の工程から前記第２の工程に至るまでの間は、前記第１の領域は、前記振動板と前記セパレータと前記枠状部と前記仕切り部とによって囲まれることによって、前記挿通口から異物が侵入した場合には、前記第１の領域内への前記異物の侵入が防止される
ことを特徴とするフラットパネルスピーカ実装方法。
【請求項２】
前記第１の工程では、前記振動板の裏面に前記ガスケット部材を接着し、前記ガスケット部材の前記振動板が配置された側に対向する側に、前記セパレータを貼り付けた後、前記セパレータの裏面に少なくとも前記挿通口を覆うように、かつ、剥離可能なように、第１の保護シートを接着し、前記振動板の表面に該表面を覆うように、かつ、剥離可能なように、第２の保護シートを接着して、作製されたガスケット付き振動板を用い、
前記ガスケット付き振動板の前記第１の保護シートを剥離させた後に、前記アクチュエータを、前記挿通口から挿入して、前記振動板に接着する
ことを特徴とする請求項１記載のフラットパネルスピーカ実装方法。
【請求項３】
前記第１の工程では、前記振動板の裏面に枠状の第１の両面粘着シートを介して前記ガスケット部材を接着し、前記ガスケット部材の前記振動板が配置された側に対向する側に第２の両面粘着シートを介して、前記セパレータを貼り付けることを特徴とする請求項１又は２記載のフラットパネルスピーカ実装方法。
【請求項４】
前記ガスケット部材は、前記振動板に接着された状態で、前記振動板の振動に従って、少なくとも厚さ方向に沿って変形しながら前記振動板を支持することを特徴とする請求項１、２又は３記載のフラットパネルスピーカ実装方法。
【請求項５】
前記アクチュエータは圧電素子を有してなり、前記振動板の所定の部位に接触していることを特徴とする請求項１乃至４のいずれか１に記載のフラットパネルスピーカ実装方法。
【請求項６】
前記電子機器は、文字情報又は画像情報を表示するための表示手段を備え、前記振動板は、透明部材からなり、前記表示手段の表示画面を保護するためのスクリーン部材を兼ねることを特徴とする請求項１乃至５のいずれか１に記載のフラットパネルスピーカ実装方法。
【請求項７】
アクチュエータによって振動板を振動させて音波を放射させるフラットパネルスピーカを備えた電子機器の組立方法であって、
前記フラットパネルスピーカを当該電子機器の筐体に取り付ける際に、請求項１乃至６のいずれか１に記載のフラットパネルスピーカ実装方法を実施することを特徴とする電子機器の組立方法。
【請求項８】
アクチュエータによって振動板を振動させて音波を放射させるフラットパネルスピーカを、開口が形成された電子機器の筐体に実装する際に、前記開口から前記筐体内への塵埃を含む異物の侵入を防止するために用いられるガスケット部材であって、
前記振動板を支持するための枠状部と、該枠状部の互いに対向する所定の部位間に架け渡され、該枠状部によって囲まれた領域を、第１の領域と、前記アクチュエータが挿通される第２の領域とに仕切る梁状の仕切り部とを備え、
前記振動板を前記筐体に取り付ける際には、前記振動板の裏面に当該ガスケット部材が接着され、該ガスケット部材の前記振動板が配置された側に対向する側に、前記アチュエータを挿通させるための挿通口が所定の部位に形成されたセパレータが、前記挿通口が前記第２の領域の前記振動板が配置された側に対向する側に配置されるように、かつ、剥離可能なように貼り付けられてガスケット付きの振動板とされ、前記アクチュエータが、前記挿通口から挿入されて、前記振動板の裏面の所定の部位に接着され、
前記ガスケット付きの振動板の前記セパレータが剥離されて、当該ガスケット部材が前記開口の縁部に接着されて、前記振動板が、当該ガスケット部材を介して、前記開口を覆うように、前記筐体に取り付けられ、
前記振動板に前記アクチュエータが取り付けられてから、前記振動板が前記筐体に取り付けられるまでの間は、前記第１の領域は、前記振動板と前記セパレータと前記枠状部と前記仕切り部とによって囲まれることによって、前記挿通口から異物が侵入した場合には、前記第１の領域内への前記異物の侵入が防止される
ことを特徴とするガスケット部材。
【請求項９】
前記振動板に接着された状態で、前記振動板の振動に従って、少なくとも厚さ方向に沿って変形しながら前記振動板を支持することを特徴とする請求項８記載のガスケット部材。
【請求項１０】
フラットパネルスピーカを構成し、アクチュエータによって振動して音波を放射させる振動板に、前記フラットパネルスピーカを、開口が形成された電子機器の筐体に実装する際に、前記開口から前記筐体内への塵埃を含む異物の侵入を防止するために用いられるガスケット部材が接着されたガスケット部材付きの振動板であって、
前記振動板、該振動板を支持するための枠状部と、該枠状部の互いに対向する所定の部位間に架け渡され、該枠状部によって囲まれた領域を、第１の領域と、前記アクチュエータが挿通される第２の領域とに仕切る梁状の仕切り部とを有し、前記振動板の裏面に接着された前記ガスケット部材、及び前記ガスケット部材の前記振動板が配置された側に対向する側に、前記アチュエータを挿通させるための挿通口が所定の部位に形成され、前記挿通口が前記第２の領域の前記振動板が配置された側に対向する側に配置されるように、かつ、剥離可能なように貼り付けられたセパレータを備え、
前記フラットパネルスピーカを前記筐体に実装する際には、前記アクチュエータが、前記挿通口から挿入されて、前記振動板の裏面の所定の部位に接着され、
当該ガスケット部材付きの振動板の前記セパレータが剥離されて、前記ガスケット部材が前記開口の縁部に接着されて、前記振動板が、前記ガスケット部材を介して、前記開口を覆うように、前記筐体に取り付けられ、
前記振動板に前記アクチュエータが取り付けられてから、前記振動板が前記筐体に取り付けられるまでの間は、前記第１の領域は、前記振動板と前記セパレータと前記枠状部と前記仕切り部とによって囲まれることによって、前記挿通口から異物が侵入した場合には、前記第１の領域内への前記異物の侵入が防止される
ことを特徴とするガスケット部材付きの振動板。
【請求項１１】
前記セパレータの裏面に少なくとも前記挿通口を覆うように、かつ、剥離可能なように、接着された第１の保護シートと、前記振動板の表面に該表面を覆うように、かつ、剥離可能なように接着された第２の保護シートとを備え、
前記フラットパネルスピーカを前記筐体に実装する際には、当該ガスケット付きの振動板から前記第１の保護シートを剥離させ、前記アクチュエータを、前記挿通口から挿入して、前記振動板に接着する
ことを特徴とする請求項１０記載のガスケット部材付きの振動板。
【請求項１２】
前記振動板の裏面に枠状の第１の両面粘着シートを介して前記ガスケット部材が接着され、前記ガスケット部材の前記振動板が配置された側に対向する側に第２の両面粘着シートを介して、前記セパレータが貼り付けられていることを特徴とする請求項１０又は１１記載のガスケット部材付きの振動板。
【請求項１３】
前記ガスケット部材は、前記振動板に接着された状態で、前記振動板の振動に従って、少なくとも厚さ方向に沿って変形しながら前記振動板を支持することを特徴とする請求項１０、１１又は１２記載のガスケット部材付きの振動板。
【請求項１４】
前記電子機器は、文字情報又は画像情報を表示するための表示手段を備え、前記振動板は、透明部材からなり、前記表示手段の表示画面を保護するためのスクリーン部材を兼ねることを特徴とする請求項１０乃至１３のいずれか１に記載のガスケット部材付きの振動板。
【請求項１５】
開口が形成された電子機器の筐体に実装され、アクチュエータによって振動板を振動させて音波を放射させるフラットパネルスピーカであって、
前記振動板、該振動板を支持するための枠状部と、該枠状部の互いに対向する所定の部位間に架け渡され、該枠状部によって囲まれた領域を、第１の領域と、前記アクチュエータが挿通される第２の領域とに仕切る梁状の仕切り部とを有し、前記振動板の裏面に接着され、前記開口から前記筐体内への塵埃を含む異物の侵入を防止するために用いられるガスケット部材、該ガスケット部材の前記振動板が配置された側に対向する側に、前記アチュエータを挿通させるための挿通口が所定の部位に形成され、前記挿通口が前記第２の領域の前記振動板が配置された側に対向する側に配置されるように、かつ、剥離可能なように貼り付けられたセパレータ、及び前記挿通口から挿入されて、前記振動板の裏面の所定の部位に接着された前記アクチュエータとを備え、
当該フラットパネルスピーカを前記筐体に実装する際には、前記セパレータが剥離され、前記ガスケット部材が前記開口の縁部に接着されて、前記振動板が、前記ガスケット部材を介して、前記開口を覆うように、前記筐体に取り付けられ、
前記振動板に前記アクチュエータが取り付けられてから、前記振動板が前記筐体に取り付けられるまでの間は、前記第１の領域は、前記振動板と前記セパレータと前記枠状部と前記仕切り部とによって囲まれることによって、前記挿通口から異物が侵入した場合には、前記第１の領域内への前記異物の侵入が防止される
ことを特徴とするフラットパネルスピーカ。
【請求項１６】
前記振動板の表面に該表面を覆うように、かつ、剥離可能なように接着された保護シートを備え、
当該フラットパネルスピーカを前記筐体に実装する際には、前記セパレータが剥離され、前記ガスケット部材を前記開口の縁部に接着して、前記振動板を、前記ガスケット部材を介して、前記開口を覆うように、前記筐体に取り付ける
ことを特徴とする請求項１５記載のフラットパネルスピーカ。
【請求項１７】
前記振動板の裏面に枠状の第１の両面粘着シートを介して前記ガスケット部材が接着され、前記ガスケット部材の前記振動板が配置された側に対向する側に第２の両面粘着シートを介して、前記セパレータが貼り付けられていることを特徴とする請求項１５又は１６記載のフラットパネルスピーカ。
【請求項１８】
前記ガスケット部材は、前記振動板に接着された状態で、前記振動板の振動に従って、少なくとも厚さ方向に沿って変形しながら前記振動板を支持することを特徴とする請求項１５、１６又は１７記載のフラットパネルスピーカ。
【請求項１９】
前記アクチュエータは圧電素子を有してなり、前記振動板の所定の部位に接触していることを特徴とする請求項１５乃至１８のいずれか１に記載のフラットパネルスピーカ。
【請求項２０】
前記電子機器は、文字情報又は画像情報を表示するための表示手段を備え、前記振動板は、透明部材からなり、前記表示手段の表示画面を保護するためのスクリーン部材を兼ねることを特徴とする請求項１５乃至１９のいずれか１に記載のフラットパネルスピーカ。
【発明の詳細な説明】
【技術分野】
【０００１】
この発明は、フラットパネルスピーカ実装方法、電子機器の組立方法、ガスケット部材、振動板及びフラットパネルスピーカに係り、折畳み型の携帯電話機等の携帯型の電子機器の筐体へのフラットパネルスピーカの実装方法、該フラットパネルスピーカを備えた電子機器の組立方法、フラットパネルスピーカに用いられ、例えば、表示パネルを保護するスクリーン部材を兼ね、音声を放射するための振動板を支持すると共に塵埃等の異物の筐体内への侵入防止のために用いられるガスケット部材、該ガスケット部材が取り付けられたガスケット部材付きの振動板、及び該振動板と振動板を振動させるアクチュエータとを備えたフラットパネルスピーカに関する。
【背景技術】
【０００２】
近年、移動中や外出先でも使用可能であるという高い利便性によって、携帯電話機等の携帯型電子機器が広く普及してきている。特に、開閉自在の折畳み型の携帯電話機は、コンパクトに収納できることから、多くのユーザから支持を受けている。
さらに、２軸ヒンジ部を用いて、開閉を行うための回動軸に直交する回動軸の周りにも一方の筐体が他方の筐体に対して回動自在となるように構成した折畳み型の携帯電話機も実用化されている。
【０００３】
このような携帯電話機１０１は、図１４及び図１５に示すように、上部ユニット１０２と下部ユニット１０３とが、２軸ヒンジ部１０４で相互に結合されて構成され、上側ユニット１０２の上部筐体１０５には、受話音声を出力する受話部１０６と、液晶表示装置からなる表示部１０７とが実装され、下部ユニット１０３の下部筐体１０８には、各種操作キー等からなる操作部１０９と、送話音声を入力する送話部１１０と、スピーカを有する音声出力部１１１とが実装されている。
【０００４】
なお、表示部１０７は、図１６に示すように、液晶表示パネル１１２と、液晶表示パネル１１２に照明光を与えるバックライト装置とを有し、これらは、保持フレーム１１３によって保持されて、上部筐体１０５内に実装されている。また、液晶表示パネル１１２を保護するためのスクリーン部材１１４が、上部筐体１０５を構成するフロントケース１１５に両面粘着シート１１６を用いて接着されている。
【０００５】
ところで、携帯電話機１０１として、本来の通話機能のみならず、電子メールの送受信やインターネットに接続してホームページの閲覧が可能なデータ通信機能を有するものが普及している。
このような携帯電話機１０１において、例えば、サイトからダウンロードしたプログラムを実行して、ゲーム等を楽しむような場合に、表示部１０７の画面を見ながら、音声を聞くためには、図１５に示すように、筐体を開いた状態で、用いることとなる。
【０００６】
しかしながら、表示画面を正面に向けて折り畳んでコンパクト化した状態で、表示部１０７の表示画面を見ようとする場合には、音声出力部１１１のスピーカが隠れてしまって、音声が十分に聴き取れないという問題があった。
また、通話時には、筐体を開いた状態で、受話部１０６を耳部に当てて、受話音声を聴くこととなるが、音孔が比較的小さいために、確実に当てることが困難で、音孔位置から外れてしまって、音量が不足し、かつ、音声が不明瞭になってしまっていた。
【０００７】
そこで、最近、パーソナルコンピュータのディスプレイで、例えば、表示パネルを保護するスクリーン部材を、フラットパネルスピーカを構成し、音声を放射するための振動板として用いる技術が実用化されており、この技術を携帯電話機に適用することが提案されている（表示画面からの音声出力については、例えば、非特許文献１参照。）。
この携帯電話機のフラットパネルスピーカ２０１は、表示部が実装された一方の筐体に取り付けられ、図１７に示すように、例えばアクリル樹脂製の透明部材からなり、液晶表示パネルを保護しスクリーン部材を兼ねる振動板２０２と、圧電素子を有し振動板２０２を振動させて音波を放射させるアクチュエータモジュール２０３とを有してなっている。
【０００８】
振動板２０２は、振動が伝達されるように所定の部位でアクチュエータモジュール２０３に当接状態で取り付けられ、かつ、塵埃等の異物の侵入を防止するための枠状のガスケット部材２０４を介して、液晶表示パネルの表示画面を露出させるための開口が中央部に形成され、上記一方の筐体を構成するフロントケースに取り付けられている。
ここで、ガスケット部材２０４は、フロントケースの開口を囲むように配置され、共に枠状の両面粘着シートを介して、それぞれ、振動板２０２、フロントケースの開口の縁部に接着されている。
なお、ガスケット部材２０４の内側には、内部への塵埃の侵入を防止して、液晶表示パネル表面への塵埃の付着を防止するための枠状の防塵クッション部材２０５が配置されている。
【０００９】
この携帯電話機の筐体にフラットパネルスピーカ２０１を実装するには、まず、振動板２０２の裏面の周縁部に枠状の両面粘着シートを介してガスケット部材２０４を接着し、ガスケット部材２０４の振動板２０２に対向する側に両面粘着シートを貼り付け、さらに、一対の保護シートで両側から挟んで、ガスケット付き振動板を作製する。
次に、ガスケット付き振動板の裏面側の保護シートを剥離させ、アクチュエータモジュール２０３を、振動板２０２の裏面の所定の部位に例えば両面粘着テープを用いて接着する。この後、ガスケット付き振動板の裏面側には、アクチュエータモジュール２０３を露出させるための開口が形成された開口付き保護シートを貼り付ける。
【００１０】
次に、ガスケット付き振動板の裏面側の開口付き保護シートを剥離させ、振動板２０２を、フロントケースに対して位置決めして、両面粘着シートを介してガスケット部材２０４をフロントケースの開口の縁部に接着して、振動板２０２をフロントケースに取り付ける。
一方、防塵クッション部材２０５は、液晶表示パネルの周縁部に配置されるように、液晶表示パネルの保持フレームに取り付けておき、さらに、リアカバーを組み付ける。
振動板２０２やアクチュエータモジュール２０３、ガスケット部材２０４等が取り付けられたフロントケースと、液晶表示パネルや防振クッション部材２０５、配線基板等が取り付けられた保持フレームが組み付けられたリアカバーとを、組み合わせる。
【００１１】
【非特許文献１】「日経ビジネス  ２００４年１１月１日号」日経ＢＰ社、２００４年１１月１日、ｐ．９０
【発明の開示】
【発明が解決しようとする課題】
【００１２】
解決しようとする第１の問題点は、振動板にアクチュエータモジュールを取り付ける工程から振動板をフロントケースに取り付ける工程に至るまでの間に、防塵が完全になされずに、開口付き保護シートの開口から塵埃が侵入して、例えば、スクリーン部材を兼ねる振動板に塵埃が付着して、フラットパネルスピーカの音響特性に悪影響を与えると共に、液晶表示パネルの表示品質を悪化させるという点である。
また、第２の問題点は、保護シートの剥離及び再貼付けのために手間がかかるという点である。
すなわち、振動板にアクチュエータモジュールを取り付ける工程では、ガスケット付き振動板の裏面側の保護シートを剥離させた後に、アクチュエータモジュールを、振動板の裏面に接着し、この後、ガスケット付き振動板の裏面側に、アクチュエータモジュール２０３を露出させるための開口が形成された別の開口付き保護シートを防塵のために貼り付けて、振動板をフロントケースに取り付ける次の工程に送らなければならない。
【００１３】
この発明は、上述の事情に鑑みてなされたもので、確実に防塵を行って、フラットパネルスピーカの音響特性及び表示パネルの表示品質を良好に保つことができるフラットパネルスピーカ実装方法、電子機器の組立方法、ガスケット部材、振動板及びフラットパネルスピーカを提供することを第１の目的としている。
また、作業時間を短縮して迅速に組立てを行うことができるフラットパネルスピーカ実装方法、電子機器の組立方法、ガスケット部材、振動板及びフラットパネルスピーカを提供することを第２の目的としている。
【課題を解決するための手段】
【００１４】
上記課題を解決するために、請求項１記載の発明は、アクチュエータによって振動板を振動させて音波を放射させるフラットパネルスピーカを、開口が形成された電子機器の筐体に、上記開口から上記筐体内への塵埃を含む異物の侵入を防止するガスケット部材を介して、実装するためのフラットパネルスピーカの実装方法に係り、上記振動板の裏面に上記ガスケット部材が接着され、上記ガスケット部材の上記振動板が配置された側に対向する側に、上記アチュエータを挿通させるための挿通口が所定の部位に形成されたセパレータが、剥離可能なように貼り付けられたガスケット付き振動板を用意し、上記アクチュエータを、上記挿通口から挿入して、上記振動板の裏面の所定の部位に接着する第１の工程と、上記ガスケット付き振動板の上記セパレータを剥離させ、上記ガスケット部材を上記開口の縁部に接着して、上記振動板を、上記ガスケット部材を介して、上記開口を覆うように、上記筐体に取り付ける第２の工程とを含み、上記第１の工程では、上記振動板を支持するための枠状部と、該枠状部の互いに対向する所定の部位間に架け渡され、該枠状部によって囲まれた領域を、第１の領域と、上記アクチュエータを挿通させる第２の領域とに仕切る仕切り部とを有してなる上記ガスケット部材を用い、上記セパレータは、上記挿通口が上記第２の領域の上記振動板が配置された側に対向する側に配置されるように貼り付けられ、上記第１の工程から上記第２の工程に至るまでの間は、上記第１の領域は、上記振動板と上記セパレータと上記枠状部と上記仕切り部とによって囲まれることによって、上記挿通口から異物が侵入した場合には、上記第１の領域内への上記異物の侵入が防止されることを特徴としている。
【００１５】
また、請求項２記載の発明は、請求項１記載のフラットパネルスピーカ実装方法に係り、上記第１の工程では、上記振動板の裏面に上記ガスケット部材を接着し、上記ガスケット部材の上記振動板が配置された側に対向する側に、上記セパレータを貼り付けた後、上記セパレータの裏面に少なくとも上記挿通口を覆うように、かつ、剥離可能なように、第１の保護シートを接着し、上記振動板の表面に該表面を覆うように、かつ、剥離可能なように、第２の保護シートを接着して、作製されたガスケット付き振動板を用い、上記ガスケット付き振動板の上記第１の保護シートを剥離させた後に、上記アクチュエータを、上記挿通口から挿入して、上記振動板に接着することを特徴としている。
【００１６】
また、請求項３記載の発明は、請求項１又は２記載のフラットパネルスピーカ実装方法に係り、上記第１の工程では、上記振動板の裏面に枠状の第１の両面粘着シートを介して上記ガスケット部材を接着し、上記ガスケット部材の上記振動板が配置された側に対向する側に第２の両面粘着シートを介して、上記セパレータを貼り付けることを特徴としている。
【００１７】
また、請求項４記載の発明は、請求項１、２又は３記載のフラットパネルスピーカ実装方法に係り、上記ガスケット部材は、上記振動板に接着された状態で、上記振動板の振動に従って、少なくとも厚さ方向に沿って変形しながら上記振動板を支持することを特徴としている。
【００１８】
また、請求項５記載の発明は、請求項１乃至４のいずれか１に記載のフラットパネルスピーカ実装方法に係り、上記アクチュエータは圧電素子を有してなり、上記振動板の所定の部位に接触していることを特徴としている。
【００１９】
また、請求項６記載の発明は、請求項１乃至５のいずれか１に記載のフラットパネルスピーカ実装方法に係り、上記電子機器は、文字情報又は画像情報を表示するための表示手段を備え、上記振動板は、透明部材からなり、上記表示手段の表示画面を保護するためのスクリーン部材を兼ねることを特徴としている。
【００２０】
また、請求項７記載の発明は、アクチュエータによって振動板を振動させて音波を放射させるフラットパネルスピーカを備えた電子機器の組立方法に係り、上記フラットパネルスピーカを当該電子機器の筐体に取り付ける際に、請求項１乃至６のいずれか１に記載のフラットパネルスピーカ実装方法を実施することを特徴としている。
【００２１】
また、請求項８記載の発明は、アクチュエータによって振動板を振動させて音波を放射させるフラットパネルスピーカを、開口が形成された電子機器の筐体に実装する際に、上記開口から上記筐体内への塵埃を含む異物の侵入を防止するために用いられるガスケット部材に係り、上記振動板を支持するための枠状部と、該枠状部の互いに対向する所定の部位間に架け渡され、該枠状部によって囲まれた領域を、第１の領域と、上記アクチュエータが挿通される第２の領域とに仕切る梁状の仕切り部とを備え、上記振動板を上記筐体に取り付ける際には、上記振動板の裏面に当該ガスケット部材が接着され、該ガスケット部材の上記振動板が配置された側に対向する側に、上記アチュエータを挿通させるための挿通口が所定の部位に形成されたセパレータが、上記挿通口が上記第２の領域の上記振動板が配置された側に対向する側に配置されるように、かつ、剥離可能なように貼り付けられてガスケット付きの振動板とされ、上記アクチュエータが、上記挿通口から挿入されて、上記振動板の裏面の所定の部位に接着され、上記ガスケット付きの振動板の上記セパレータが剥離されて、当該ガスケット部材が上記開口の縁部に接着されて、上記振動板が、当該ガスケット部材を介して、上記開口を覆うように、上記筐体に取り付けられ、上記振動板に上記アクチュエータが取り付けられてから、上記振動板が上記筐体に取り付けられるまでの間は、上記第１の領域は、上記振動板と上記セパレータと上記枠状部と上記仕切り部とによって囲まれることによって、上記挿通口から異物が侵入した場合には、上記第１の領域内への上記異物の侵入が防止されることを特徴としている。
【００２２】
また、請求項９記載の発明は、請求項８記載のガスケット部材に係り、上記振動板に接着された状態で、上記振動板の振動に従って、少なくとも厚さ方向に沿って変形しながら上記振動板を支持することを特徴としている。
【００２３】
また、請求項１０記載の発明は、フラットパネルスピーカを構成し、アクチュエータによって振動して音波を放射させる振動板に、上記フラットパネルスピーカを、開口が形成された電子機器の筐体に実装する際に、上記開口から上記筐体内への塵埃を含む異物の侵入を防止するために用いられるガスケット部材が接着されたガスケット部材付きの振動板に係り、上記振動板、該振動板を支持するための枠状部と、該枠状部の互いに対向する所定の部位間に架け渡され、該枠状部によって囲まれた領域を、第１の領域と、上記アクチュエータが挿通される第２の領域とに仕切る梁状の仕切り部とを有し、上記振動板の裏面に接着された上記ガスケット部材、及び上記ガスケット部材の上記振動板が配置された側に対向する側に、上記アチュエータを挿通させるための挿通口が所定の部位に形成され、上記挿通口が上記第２の領域の上記振動板が配置された側に対向する側に配置されるように、かつ、剥離可能なように貼り付けられたセパレータを備え、上記フラットパネルスピーカを上記筐体に実装する際には、上記アクチュエータが、上記挿通口から挿入されて、上記振動板の裏面の所定の部位に接着され、当該ガスケット部材付きの振動板の上記セパレータが剥離されて、上記ガスケット部材が上記開口の縁部に接着されて、上記振動板が、上記ガスケット部材を介して、上記開口を覆うように、上記筐体に取り付けられ、上記振動板に上記アクチュエータが取り付けられてから、上記振動板が上記筐体に取り付けられるまでの間は、上記第１の領域は、上記振動板と上記セパレータと上記枠状部と上記仕切り部とによって囲まれることによって、上記挿通口から異物が侵入した場合には、上記第１の領域内への上記異物の侵入が防止されることを特徴としている。
【００２４】
また、請求項１１記載の発明は、請求項１０記載のガスケット部材付きの振動板に係り、上記セパレータの裏面に少なくとも上記挿通口を覆うように、かつ、剥離可能なように、接着された第１の保護シートと、上記振動板の表面に該表面を覆うように、かつ、剥離可能なように接着された第２の保護シートとを備え、上記フラットパネルスピーカを上記筐体に実装する際には、当該ガスケット付きの振動板から上記第１の保護シートを剥離させ、上記アクチュエータを、上記挿通口から挿入して、上記振動板に接着することを特徴としている。
【００２５】
また、請求項１２記載の発明は、請求項１０又は１１記載のガスケット部材付きの振動板に係り、上記振動板の裏面に枠状の第１の両面粘着シートを介して上記ガスケット部材が接着され、上記ガスケット部材の上記振動板が配置された側に対向する側に第２の両面粘着シートを介して、上記セパレータが貼り付けられていることを特徴としている。
【００２６】
また、請求項１３記載の発明は、請求項１０、１１又は１２記載のガスケット部材付きの振動板に係り、上記ガスケット部材は、上記振動板に接着された状態で、上記振動板の振動に従って、少なくとも厚さ方向に沿って変形しながら上記振動板を支持することを特徴としている。
【００２７】
また、請求項１４記載の発明は、請求項１０乃至１３のいずれか１に記載のガスケット部材付きの振動板に係り、上記電子機器は、文字情報又は画像情報を表示するための表示手段を備え、上記振動板は、透明部材からなり、上記表示手段の表示画面を保護するためのスクリーン部材を兼ねることを特徴としている。
【００２８】
また、請求項１５記載の発明は、開口が形成された電子機器の筐体に実装され、アクチュエータによって振動板を振動させて音波を放射させるフラットパネルスピーカに係り、上記振動板、該振動板を支持するための枠状部と、該枠状部の互いに対向する所定の部位間に架け渡され、該枠状部によって囲まれた領域を、第１の領域と、上記アクチュエータが挿通される第２の領域とに仕切る梁状の仕切り部とを有し、上記振動板の裏面に接着され、上記開口から上記筐体内への塵埃を含む異物の侵入を防止するために用いられるガスケット部材、該ガスケット部材の上記振動板が配置された側に対向する側に、上記アチュエータを挿通させるための挿通口が所定の部位に形成され、上記挿通口が上記第２の領域の上記振動板が配置された側に対向する側に配置されるように、かつ、剥離可能なように貼り付けられたセパレータ、及び上記挿通口から挿入されて、上記振動板の裏面の所定の部位に接着された上記アクチュエータとを備え、当該フラットパネルスピーカを上記筐体に実装する際には、上記セパレータが剥離され、上記ガスケット部材が上記開口の縁部に接着されて、上記振動板が、上記ガスケット部材を介して、上記開口を覆うように、上記筐体に取り付けられ、上記振動板に上記アクチュエータが取り付けられてから、上記振動板が上記筐体に取り付けられるまでの間は、上記第１の領域は、上記振動板と上記セパレータと上記枠状部と上記仕切り部とによって囲まれることによって、上記挿通口から異物が侵入した場合には、上記第１の領域内への上記異物の侵入が防止されることを特徴としている。
【００２９】
また、請求項１６記載の発明は、請求項１５記載のフラットパネルスピーカに係り、上記振動板の表面に該表面を覆うように、かつ、剥離可能なように接着された保護シートを備え、当該フラットパネルスピーカを上記筐体に実装する際には、上記セパレータが剥離され、上記ガスケット部材を上記開口の縁部に接着して、上記振動板を、上記ガスケット部材を介して、上記開口を覆うように、上記筐体に取り付けることを特徴としている。
【００３０】
また、請求項１７記載の発明は、請求項１５又は１６記載のフラットパネルスピーカに係り、上記振動板の裏面に枠状の第１の両面粘着シートを介して上記ガスケット部材が接着され、上記ガスケット部材の上記振動板が配置された側に対向する側に第２の両面粘着シートを介して、上記セパレータが貼り付けられていることを特徴としている。
【００３１】
また、請求項１８記載の発明は、請求項１５、１６又は１７記載のフラットパネルスピーカに係り、上記ガスケット部材は、上記振動板に接着された状態で、上記振動板の振動に従って、少なくとも厚さ方向に沿って変形しながら上記振動板を支持することを特徴としている。
【００３２】
また、請求項１９記載の発明は、請求項１５乃至１８のいずれか１に記載のフラットパネルスピーカに係り、上記アクチュエータは圧電素子を有してなり、上記振動板の所定の部位に接触していることを特徴としている。
【００３３】
また、請求項２０記載の発明は、請求項１５乃至１９のいずれか１に記載のフラットパネルスピーカに係り、上記電子機器は、文字情報又は画像情報を表示するための表示手段を備え、上記振動板は、透明部材からなり、上記表示手段の表示画面を保護するためのスクリーン部材を兼ねることを特徴としている。
【発明の効果】
【００３４】
この発明の構成によれば、振動板にアクチュエータを取り付ける第１の工程から、振動板を筐体に取り付ける第２の工程に移る間は、セパレータの挿通口から塵埃等の異物が侵入したとしても、ガスケット部材の仕切り部によって、第１の領域への侵入が阻止されるので、確実に防塵を行って、フラットパネルスピーカの音響特性及び表示パネルの表示品質を良好に保つことができる。
また、振動板にアクチュエータを取り付ける第１の工程を実施した後、振動板を筐体に取り付ける第２の工程では、セパレータを剥離させてから、位置決めして取り付けるのみで良く、従来技術におけるように、保護シートの剥離及び再貼付けの必要がないので、作業時間を短縮して迅速に組立てを行うことができる。
【発明を実施するための最良の形態】
【００３５】
振動板にアクチュエータを取り付ける第１の工程から、振動板を筐体に取り付ける第２の工程に移る間は、セパレータの挿通口から塵埃等の異物が侵入したとしても、ガスケット部材の仕切り部によって、第１の領域への侵入が阻止されるので、確実に防塵を行って、フラットパネルスピーカの音響特性及び表示パネルの表示品質を良好に保つという第１の目的を実現した。
また、振動板にアクチュエータを取り付ける第１の工程を実施した後、振動板を筐体に取り付ける第２の工程では、セパレータを剥離させてから、位置決めして取り付けるのみで良く、従来技術におけるように、保護シートの剥離及び再貼付けの必要がないので、作業時間を短縮して迅速に組立てを行うという第２の目的を実現した。
【実施例】
【００３６】
図１は、この発明の一実施例である携帯電話機の上部ユニットを分解して表面側から見た図であって、同上部ユニットの構成を示す分解斜視図、図２は、同携帯電話機の上部ユニットを分解して裏面側から見た図であって、同上部ユニットの構成を示す分解斜視図、図３は、同携帯電話機の構成を示すブロック図、図４は、同上部ユニットの構成を示す平面図、図５は、図４のＡ−Ａ線に沿った断面図、図６は、図４のＢ−Ｂ線に沿った断面図、図７は、図６のＣ部を拡大して示す拡大断面図、図８は、同携帯電話機の音声出力部の構成を示すブロック図、図９は、同音声出力部の振動板の構成を示す平面図、図１０は、同音声出力部のガスケット部材の構成を示す平面図、図１１は、同振動板に同ガスケット部材が取り付けられた状態を示す下面図、図１２は、同振動板に同ガスケット部材及びアクチュエータモジュールが取り付けられた状態を示す下面図、また、図１３は、同携帯電話機の筐体へのフラットパネルスピーカの実装方法を説明するための説明図である。
【００３７】
この例の携帯電話機１は、折畳可能な筐体を備えると共に、本来の通話機能のほか、例えば電子メールの送受信やインターネットに接続してホームページの閲覧が可能なデータ通信機能を有し、図１乃至図３に示すように、上部ユニット２と下部ユニット３とが、互いに開閉自在で、かつ、開閉を行うための回動軸に直交する回動軸の周りにも一方のユニットが他方のユニットに対して回動自在に２軸ヒンジ部４で相互に結合されて構成されている。
【００３８】
上側ユニット２は、図１乃至図３に示すように、折畳可能な扁平な筐体を構成する上部筐体６に、例えば受話音声を出力する音声出力部７と、音声出力部７を駆動するための圧電駆動部８と、液晶表示装置からなり例えば機能設定画面や、待受画面等が表示される表示部９と、ＬＥＤを有し例えば着信時や通話時に発光する発光部１１とが実装されて概略構成されている。
上部筐体６は、共に例えばマグネシウム合金製のダイカスト成形品からなり、正面側を構成するフロントケース１２と、裏面側を構成するリアカバー１３とを有し、組み合されたフロントケース１２とリアカバー１３とが嵌合によって、又は雌ねじや雄ねじ等の固定具による締付けによって、音声出力部７や表示部９、発光部１１が内部に収納され、又は取り付けられた状態で、組み立てられてなっている。
【００３９】
フロントケース１２は、液晶表示パネル４１の表示画面を露出させるための開口部１４が中央部に形成された矩形状の平板部１５の周縁に側壁部１６が立設された形状に概略成形されている。
平板部１５のうち、側壁部１６の内壁面からは側方（内部側）に突設された開口部１４の縁部１７の上面は、後述するガスケット部材３３を介して振動板３１を載せる載置面１７ｍとされている。
また、リアカバー１３は、矩形状の平板部１８の周縁に側壁部１９が立設された形状に概略成形されてなっている。
【００４０】
下部ユニット３は、折畳可能な扁平な筐体を構成する下部筐体に、図３に示すように、当該携帯電話機本体の構成各部を制御する制御部２２と、制御部２２が実行する処理プログラムや各種データ等を記憶するための記憶部２３と、アンテナ２５を介して無線電波の送受信を行い、所定のプロトコルに従って通話やデータ通信を行うために用いられる無線通信部２６と、数字や文字の入力操作等を行うための多数の各種操作キー等からなる操作部２７と、送話音声を入力するマイクロフォンからなる送話部２８と、着信時に着信音を発生するためのリンガ発生部２９とが実装されて概略構成されている。
【００４１】
音声出力部７は、図１乃至図１２に示すように、例えばアクリル樹脂製の透明部材からなり、液晶表示パネル４１を保護するスクリーン部材を兼ねる振動板３１と、圧電素子を有し振動板３１を振動させて音波を放射させるアクチュエータモジュール３２と、上部筐体６内部への塵埃や水分等の異物の侵入を防止するための例えばシリコーンゴム製の扁平な枠状のガスケット部材３３と、ガスケット部材３３の内側に配置され内部への塵埃の侵入を防止して、液晶表示パネル４１の表面（外光が入射すると共に、バックライト装置からの照明光が出射する側の面）への塵埃の付着を防止するための例えば発泡ウレタン製の枠状の防塵クッション部材３４とを備えてなっている。ここで、振動板３１とアクチュエータモジュール３２とは、フラットパネルスピーカ３５を構成している。
【００４２】
アクチュエータモジュール３２は、制御部２２によって制御される圧電駆動部８を介して、増幅された駆動信号を受け取って、電気信号としての駆動信号を音響信号に変換して振動板３１を振動させる。振動板３１からは、その表面（外気に晒され、例えば操作者（ユーザ）へ向けて音波が放射される側の面）３１ｐから、音響信号としての音波が放射される。
この例では、アクチュエータモジュール３２は、振動板３１の裏面（表面３１ｐに背向し上部筐体６内部に向いた側の面）３１ｑの所定の部位に例えば両面粘着テープを用いて接着されている。なお、アクチュエータモジュール３２の裏面側には、フレキシブルプリント配線板（以下、ＦＰＣ（Flexible Printed Circuit）という）を保護するためのクッション部材４５が配置される。
【００４３】
また、振動板３１の表示画面領域に対応する領域の外部領域は、遮光材料が塗布されている。防塵クッション部材３４は、ガスケット部材３３の内側（この例では、後述する表示領域３３ｍ内）に配置される。
振動板３１は、この例では、その側壁面３１ａの所定の角部３１ｍが、フロントケース１２の側壁部１６の開口１４側に形成された対応する隅部１６ａに当接されるように、位置決めされてガスケット部材３３を介して載置面１７ｍ上に配置されている。
ガスケット部材３３は、図６及び図７に示すように、共に枠状の両面粘着シート３７，３８を介して、それぞれ、振動板３１、フロントケース１２の載置面１７ｍに接着されている。
【００４４】
両面粘着シート３７（３８）は、図７に示すように、ＰＥＴからなる基体３７ａ（３８ａ）の両面にアクリル系接着剤層３７ｍ（３８ｍ）とシリコーン系接着剤層３７ｎ（３８ｎ）とが形成されてなっている。
振動板３１は、このように、ガスケット部材３３を介して、フロントケース１２に取り付けられている。
このガスケット部材３３は、振動板３１に接着された状態で、振動板３１の振動に従って、少なくとも厚さ方向に沿って比較的容易に変形しながら振動板３１を支持すると共に、開口１４から上部筐体６の中に塵埃や水分等の異物が入るのを防止する。
また、ガスケット部材３３は、振動板３１の裏面３１ｑの周縁部を支持する角環状の枠状部３３ａと、枠状部３３ａの互いに対向する所定の部位間に架け渡され枠状部３３ａで囲まれた平面視略矩形状の領域を、フロントケース１２の開口１４の表示画面が視認される領域と振動板３１との間に配置される表示領域３３ｍと、アクチュエータモジュール３２を挿通させる挿通領域３３ｎとに仕切る梁状の仕切り部３３ｂとを有している。
なお、ガスケット部材３３は、振動板３１よりもその外形寸法が若干小さく設定されている。
【００４５】
この例のフラットパネルスピーカ実装構造３６は、図１乃至図１２に示すように、振動板３１が、振動が伝達されるように所定の部位でアクチュエータモジュール３２に当接状態で取り付けられ、かつ、枠状部３３ａ及び仕切り部３３ｂを有してなる枠状のガスケット部材３３を介して、フロントケース１２に取り付けられて概略構成されている。
ここで、ガスケット部材３３は、共に枠状の両面粘着シート３７，３８を介して、それぞれ、振動板３１、フロントケース１２の載置面１７ｍに接着されている。
これによって、ガスケット部材３３の枠状部３３ａは、振動板３１の振動を妨げずに支持し、かつ、上部筐体６内部への塵埃や水分等の異物の侵入を防止する。
また、仕切り部３３ｂは、後に詳述するように、組立過程で、アクチュエータモジュール３２が配置された挿通領域３３ｎ側から、塵埃等の異物が侵入して、表示領域３３ｍ側に達することを防止する。
【００４６】
表示部９は、上側筐体６の内側の面に配設され例えば透過型の液晶表示装置を有してなっている。液晶表示装置は、液晶表示パネル４１と、液晶表示パネル４１に照明光を与えるバックライト装置と、液晶表示パネル４１を駆動する駆動回路と、液晶表示パネル４１やバックライト装置を保持する保持フレーム４２とを有してなっている。
液晶表示パネル４１は、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
【００４７】
バックライト装置は、点状光源としての複数のＬＥＤからなる光源ユニットと、光源ユニットから出射した光を受光し面状の照明光を液晶表示パネル４１へ向けて出射する導光板、輝度のばらつきを補正するための拡散シート及び導光板側から入射した照明光を集光するプリズムシートを含む光学部材群とを有してなり、液晶表示パネル４１に裏面側から照明光を照射して、液晶表示パネル４１を透過した光を観察者に視認させる。
保持フレーム４２の表面側（振動板３１側）には、光学部材群が配設され、光学部材群を保持フレーム４２との間に挟んだ状態で、例えば、枠状の両面粘着シートを介して液晶表示パネル４１が固定されている。
【００４８】
保持フレーム４２の背面側（リアカバー側）には、絶縁性基板に所定の回路パターンが形成され電子部品が搭載されてなる配線基板４３が取り付けられ、この配線基板４３と、液晶表示パネル４１及び光源ユニットとは、それぞれ、ＦＰＣを介して電気的に接続されている。
液晶表示パネル４１や光源ユニット、配線基板４３等は、保持フレーム４２に取り付けられた状態で、上部筐体６を構成するフロントケース１２とリアカバー１３とによって、固定具を用いて上下方向から押さえられるようにして、上部筐体６内に格納される。
【００４９】
制御部２２は、ＣＰＵ（中央処理装置）等を有してなり、記憶部２３に記憶された各種処理プログラムを実行し、記憶部２３に確保された各種レジスタやフラグを用いて、構成各部を制御し、通信制御処理や、表示・操作制御処理等を実行する。
記憶部２３は、ＲＯＭ、ＲＡＭ等の半導体メモリ等からなり、制御部２２が実行する通信制御処理プログラムや、表示・操作制御処理プログラム、ブラウザ、メーラ等の各種処理プログラム等が記憶されたプログラム記憶領域と、各機能の設定情報や、通信履歴情報、電話帳情報、文字メッセージ情報、音声付き動画ファイル等の各種情報が記憶された情報記憶領域とを有すると共に、この記憶部２３には、制御部２２がプログラム実行時に用いる各種レジスタやフラグが確保されている。
【００５０】
無線通信部２６は、ＲＦ回路や、変復調回路、ベースバンド処理回路等からなり、音声やデータを変調してアンテナ２５を介して無線電波として送信すると共に、無線電波をアンテナ２５を介して受信して音声やデータに復調し、所定のプロトコルに従って通話やデータ通信を行うために用いられる。
【００５１】
操作部２７は、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、表示部９に表示された表示画面上のカーソルを上下左右方向へ移動させるためのカーソルキーと、例えば数字等を入力するためのテンキー群とを有している。
【００５２】
２軸ヒンジ部４は、図１及び図２に示すように、上部筐体６に取り付けられて上部筐体６に固定された基台板５１と、基台板５１によって回動自在に軸支されて、先端部が上部ユニット２の表示部９の表示画面に対して平行に突出する回動軸部５２と、この回動軸部５２の先端部で回動軸部５２に対して直角に配置されて回動自在に軸支された回動軸部５３とを有している。
回動軸部５３の周りの下部筐体に対する上部筐体６の回動によって、上部ユニット２と下部ユニット３とが折り畳まれ、回動軸部５２の周りの上部筐体６に対する下部筐体の回動によって、上部ユニット２の表示面を含む平面と下部ユニット３の操作面を含む平面とが交差しながら上部ユニット２が回動する。
【００５３】
次に、この例の携帯電話機１の組立方法について、図１及び図２と、図５乃至図７と、図１１乃至図１３とを参照して説明する。
まず、図１３に示すように、ガスケット付き振動板６１を作製する。すなわち、図１１に示すように振動板３１の裏面３１ｑの周縁部に枠状の両面粘着シート３７を介してガスケット部材３３を接着し、ガスケット部材３３の振動板３１に対向する側に両面粘着シート３８を介して、アクチュエータモジュール３２を挿通させるための挿通口６２ａが形成されたセパレータ６２を、挿通口６２ａが挿通領域３３ｎの振動板３１に対向する側に配置されるように、かつ、剥離可能なように貼り付け、さらに、セパレータ６２の裏面側に挿通口６２ａを塞ぐ保護シート６３を剥離可能なように貼り付け、振動板３１の表面３１ｐ側に振動板３１を保護するための保護シート６４を剥離可能なように貼り付けて、ガスケット付き振動板６１を作製する。
【００５４】
次に、図１２に示すように、アクチュエータモジュール３２を振動板３１に取り付ける。すなわち、ガスケット付き振動板６１の裏面側の保護シート６３を剥離させ、アクチュエータモジュール３２を、セパレータ６２の挿通口６２ａを通して振動板３１の裏面３１ｑの所定の部位に、例えば両面粘着テープを用いて接着する。
次に、振動板３１をフロントケース１２に取り付ける。すなわち、図１及び図２と、図５乃至図７とに示すように、ガスケット付き振動板６１の裏面側のセパレータ６２を剥離させ、振動板３１を、側壁面３１ａの所定の角部３１ｍが対応するフロントケース１２の側壁部１６の内壁面の隅部１６ａに当接されるように、位置決めして、両面粘着シート３８を介してガスケット部材３３をフロントケース１２の載置面１７ｍに接着して、振動板３１をフロントケース１２に取り付ける。
【００５５】
ここで、アクチュエータモジュール３２を振動板３１に取り付ける工程から振動板３１をフロントケース１２に取り付ける工程に至るまでの間は、表示領域３３ｍは、振動板３１とセパレータ６２と枠状部３３ａと仕切り部３３ｂとによって囲まれて密閉状態とされることによって、挿通口６２ａから異物が侵入した場合に、表示領域３３ｍ内へ異物が達することが防止される。したがって、振動板３１の表示領域３３ｍに対応する領域や、表示領域３３ｍの枠状部３３ａ及び仕切り部３３ｂの内壁面に、塵埃が付着することが防止される。
【００５６】
一方、保持フレーム４２の表面側（振動板３１が取り付けられる側）に、光学部材群を保持フレーム４２との間に挟んだ状態で、例えば、枠状の両面粘着シートを介して液晶表示パネル４１を固定する。
次に、防塵クッション部材３４を、液晶表示パネル４１の周縁部に配置されるように、保持フレーム４２に取り付ける。
次に、裏面側に配線基板４３を重ねて組み付け、配線基板４３の端部に配置されたコネクタにＦＰＣの端部を接続する。
次に、液晶表示パネル４１や光源ユニット、防塵クッション部材３４、配線基板４３等が取り付けられた保持フレーム４２に、振動板３１側からフロントケース１２を組み付ける。
【００５７】
次に、図１及び図２に示すように、振動板３１やアクチュエータモジュール３２、ガスケット部材３３等が取り付けられた部品群をフロントケース１２に貼り付け、アクチュエータモジュール３２と配線基板４３とをコネクタ接続する。次に、リアカバー１３を組み合わせて、嵌合することによって、又は雌ねじや雄ねじ等の固定具によって締め付けて、携帯電話機１を組み立てる。
これによって、振動板３１は、所定の部位でアクチュエータモジュール３２に当接して、振動の伝達が可能となる。
【００５８】
こうして組み立てられた携帯電話機１において、筐体を開いた状態で、例えば着信があると、制御部２２は、リンガ発生部２９を制御して、着信音を発生されると共に、発光部１１を制御してＬＥＤを発光させ、着信通知を行う。
次に、操作部２７の通話開始キーの押下によって、通話が開始され、通話相手からの音声は、音声出力部７から出力される。
すなわち、制御部２２は、圧電駆動部８を制御して、増幅された駆動信号がアクチュエータモジュール３２に供給されるようにする。アクチュエータモジュール３２は、増幅された駆動信号を受け取って、電気信号としての駆動信号を音響信号に変換して振動板３１を振動させる。振動板３１からは、音波が直接放射される。
【００５９】
操作者（ユーザ）は、振動板３１を耳に当てなくても、例えば、携帯電話機１を正面に向けて、受話音声を聞き、送話部２８に向けて発声して、通話を行うことができる。ここで、受信データのなかに、画像（動画又は静止画）が付加されている場合は、操作者は、表示部９の表示画面を見ながら通話を行うことができる。
また、例えば、サイトからダウンロードしたプログラム（音声付き動画ファイル等）を実行する場合に、筐体を開いた状態で、画像が表示部９に表示されると共に、音声は音声出力部７の振動板３１から放射される。
また、メール読上機能を用いる場合にも、振動板３１から音声が放射される。
また、ガスケット部材３３が、振動板３１の振動を妨げずに支持することによって、振動板３１からは確実に音声が放射され、比較的離れていても操作者（ユーザ）は、音声を明瞭に聴くことができる。
【００６０】
このように、この例の構成によれば、振動板３１にアクチュエータモジュール３２を取り付ける工程から、振動板３１をフロントケース１２に取り付ける工程に移る間は、挿通口６２ａから塵埃等の異物が侵入したとしても、ガスケット部材３３の仕切り部３３ｂによって、表示領域３３ｍへの侵入が阻止されるので、確実に防塵を行って、フラットパネルスピーカの音響特性及び表示パネルの表示品質を良好に保つことができる。
また、振動板３１にアクチュエータモジュール３２を取り付ける工程を実施した後、振動板３１をフロントケース１２に取り付ける工程では、セパレータを剥離させてから、位置決めして取り付けるのみで良く、従来技術におけるように、保護シートの剥離及び再貼付けの必要がないので、作業時間を短縮して迅速に組立てを行うことができる。
【００６１】
また、ガスケット部材３３が、振動板３１の振動を妨げずに支持するので、振動板３１からは確実に音声が放射され、比較的離れていても操作者は、音声を明瞭に聴くことができる。
また、操作者は、振動板３１を耳部に当てなくても、例えば、携帯電話機１を正面に向けた状態で、受話音声を聴くことができるので、従来技術のように、音孔位置から外れて音声が不明瞭になることなく、確実にかつ明瞭に受話音声を聴くことができると共に、耳部を携帯電話機１から離して、送話部２８に向けて発生して、通話を行うことができる。また、画像（動画又は静止画）が付加されている場合は、操作者は、表示部９の表示画面を見ながら音声を聴くことができる。
また、フラットパネルスピーカの採用によって、機器の薄型化及び小型化に寄与することができる。
【００６２】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、振動板が表示部のスクリーン部材を兼ねる場合について述べたが、専用に設けるようにしても良い。この場合、振動板は透明でなくても良い。また、筐体は、金属製でも良いし、樹脂製としても良い。
また、音声出力部７を１箇所に設ける場合について述べたが、２箇所以上に設けるようにしても良い。この場合、設置位置は、上部ユニットでも下部ユニットでも良い。
【００６３】
また、電子カメラユニットを付加して、撮影機能や、テレビ電話機能を持たせるようにしても良い。この場合、音声出力部７から撮影時に擬似シャッタ音を発生させるようにしても良い。
また、着信時に、音量を調整した上で、音声出力部７から着信音を出力させるように構成しても良い。
また、振動板は、両面粘着シートを用いずに、直接接着層を介してガスケット部材に接着するようにしても良いし、熱溶着によって接着するようにしても良い。
【００６４】
また、ガスケット部材は接着以外の方法で、フロントケースに取り付けるようにしても良い。
また、回動軸部５２を上部筐体６の主面に対して平行である場合について述べたが、上側筐体６の主面に対して垂直であっても良い。この場合、上部ユニット２の表示面と下部ユニット３の操作面とが略平行関係を保ちながら上部ユニット２が回動する。
また、２軸ヒンジに限らず、開閉のみ可能な折畳式の携帯電話機にも適用できるし、折畳式以外のストレートタイプの携帯電話機にも適用できる。
また、ガスケット部材の仕切り部を廃して、代わりにセパレータに仕切り部を設けて、組立過程での防塵を図るようにしても良い。
また、クッション部材４５は省略しても良い。
【産業上の利用可能性】
【００６５】
携帯型の電子機器としては、携帯電話機のほか、簡易型携帯電話（ＰＨＳ）端末や、携帯情報端末（ＰＤＡ）、携帯型のコンピュータに対して適用できる。また、携帯型の電子機器のほか、一般に、フラットパネルスピーカが実装された音響機器やコンピュータ等に対して適用できる。
【図面の簡単な説明】
【００６６】
【図１】この発明の一実施例である携帯電話機の上部ユニットを分解して表面側から見た図であって、同上部ユニットの構成を示す分解斜視図である。
【図２】同携帯電話機の上部ユニットを分解して裏面側から見た図であって、同上部ユニットの構成を示す分解斜視図である。
【図３】同携帯電話機の構成を示すブロック図である。
【図４】同上部ユニットの構成を示す平面図である。
【図５】図４のＡ−Ａ線に沿った断面図である。
【図６】図４のＢ−Ｂ線に沿った断面図である。
【図７】図６のＣ部を拡大して示す拡大断面図である。
【図８】同携帯電話機の音声出力部の構成を示すブロック図である。
【図９】同音声出力部の振動板の構成を示す平面図である。
【図１０】同音声出力部のガスケット部材の構成を示す平面図である。
【図１１】同振動板に同ガスケット部材が取り付けられた状態を示す下面図である。
【図１２】同振動板に同ガスケット部材及びアクチュエータモジュールが取り付けられた状態を示す下面図である。
【図１３】同携帯電話機の筐体へのフラットパネルスピーカの実装方法を説明するための説明図である。
【図１４】従来技術を説明するための説明図である。
【図１５】従来技術を説明するための説明図である。
【図１６】従来技術を説明するための説明図である。
【図１７】従来技術を説明するための説明図である。
【符号の説明】
【００６７】
１      携帯電話機（電子機器）
２      上部ユニット
３      下部ユニット
４      ２軸ヒンジ部
６      上部筐体
７      音声出力部
９      表示部（表示手段）
１２      フロントケース
１３      リアカバー
１４    開口
３１      振動板
３１ｐ      表面
３１ｑ      裏面
３２      アクチュエータモジュール（アクチュエータ）
３３      ガスケット部材
３３ａ      枠状部
３３ｂ      仕切り部
３３ｍ      表示領域（第１の領域）
３３ｎ      挿通領域（第２の領域）
３４      防塵クッション部材
３５      フラットパネルスピーカ
３６      フラットパネルスピーカ実装構造
３７      両面粘着シート（第１の両面粘着シート）
３８      両面粘着シート（第２の両面粘着シート）
４１      液晶表示パネル
６１      ガスケット付き振動板（ガスケット部材付きの振動板）
６２      セパレータ
６２ａ      挿通口
６３      保護シート（第１の保護シート）
６４      保護シート（第２の保護シート）
【図１】
2006186590.tif 000003
【図２】
2006186590.tif 000004
【図３】
2006186590.tif 000005
【図４】
2006186590.tif 000006
【図５】
2006186590.tif 000007
【図６】
2006186590.tif 000008
【図７】
2006186590.tif 000009
【図８】
2006186590.tif 000010
【図９】
2006186590.tif 000011
【図１０】
2006186590.tif 000012
【図１１】
2006186590.tif 000013
【図１２】
2006186590.tif 000014
【図１３】
2006186590.tif 000015
【図１４】
2006186590.tif 000016
【図１５】
2006186590.tif 000017
【図１６】
2006186590.tif 000018
【図１７】
2006186590.tif 000019